(57)【要約】【課題】着脱可能なスピーカーを有する電子機器において、装着されたスピーカーに応じた音響信号の処理が可能な情報処理装置及びモジュール選択方法を提供する。【解決手段】  まず、スピーカーＡ１７１がスピーカーインタフェース３４に接続される場合はＥＣ／ＫＢＣ２７はハイレベルを検出し、スイッチ信号線５２を介して、スイッチ３０１をオンにすることでＥＱ回路Ａ３１が電気的に接続される。スピーカーＢ１７２がスピーカーインターフェース３４に接続された場合、ＩＤ信号線５０はグランドに落ち、ローレベルとなる。ＥＣ／ＫＢＣ２７はローレベルを検出し、スイッチ信号線５３を介して、スイッチ３０２をオンにすることで、ＥＱ回路Ｂ３２が電気的に接続される。【選択図】      図６
2006339852.tif 000002
【特許請求の範囲】
【請求項１】
本体と
前記本体に着脱可能に接続されるスピーカーと、
前記本体内に設けられ前記スピーカーへ出力する音響信号の信号処理を行う第一のイコライザ回路と、
前記本体内に設けられ前記スピーカーへ出力する音響信号の信号処理を行う第二のイコライザ回路と、
前記スピーカーの装着を検出に応じて前記第一のイコライザ回路と前記スピーカーとを電気的に接続する切替回路と、
を具備することを特徴とする情報処理装置。
【請求項２】
前記本体は、さらに前記本体に着脱可能な第二のスピーカーを有し、
前記切替回路は、前記第二のスピーカーが接続された事を検出した場合、前記第二のイコライザ回路と前記第二のスピーカーとを電気的に接続すること
を特徴とする請求項１に記載の情報処理装置。
【請求項３】
前記スピーカーと前記第二のスピーカーとは外形寸法が同一に形成されていることを特徴とする請求項２に記載の情報処理装置。
【請求項４】
前記本体は前記スピーカー及び前記第二のスピーカーのいずれかを前記本体の外形寸法内に収納可能な収納部を有する事を特徴とする請求項３に記載の情報処理装置。
【請求項５】
本体と、
前記本体に設けられるスピーカー収納部と、
前記スピーカー収納部に着脱可能に収納可能なスピーカーと、
前記スピーカーが前記収納部に接続された事を検出する検出部と、
前記検出部により前記スピーカーの接続が検出された場合、前記本体に設けられた少なくとも２つのイコライザ回路のうち、第一のイコライザ回路の出力信号が前記スピーカーへ出力されるよう電気的に接続する切替部と、
を具備することを特徴とする情報処理装置。
【請求項６】
前記情報処理装置は、さらに前記スピーカー収納部に収納可能な第二のスピーカーを有し、
前記検出部により前記第二のスピーカーの接続が検出された場合、前記切替部は第二のイコライザ回路の出力信号が前記第二のスピーカーへ出力されるよう電気的に接続すること
を特徴とする請求項５に記載の情報処理装置。
【請求項７】
スピーカーが着脱可能な本体と、前記スピーカーへの音響信号を出力する第一のイコライザ回路と第二のイコライザ回路とを有する情報処理装置のモジュール選択方法において、
前記スピーカーが前記本体に接続された事を検出し、
前記スピーカーが接続された場合、前記スピーカーと前記第一のイコライザ回路とを電気的に接続すること
を特徴とするモジュール選択方法。
【請求項８】
前記本体には、第二のスピーカーが着脱可能であり、
前記第二のスピーカーが前記本体に接続された事を検出し、
前記第二のスピーカーが接続された場合、前記第二のスピーカーと前記第二のイコライザ回路とを電気的に設蔵すること
を特徴とする請求項７に記載のモジュール選択方法。
【発明の詳細な説明】
【技術分野】
【０００１】
本発明は、スピーカーを有する情報処理装置に係り、特にスピーカーの着脱が可能な情報処理装置に関する。
【背景技術】
【０００２】
近年、ノート型パソコン（以下、パソコンと称す）のような情報処理装置は、薄型軽量化が進んでおり、パソコンの筐体は小さくなる一方、パソコンが搭載する機能は多様化している。
【０００３】
特に、最近は、テレビチューナーを搭載するいわゆるAV（Audio/Visual）パソコンの普及が顕著であり、画質の向上及び、音質の向上が望まれており、ステレオスピーカーを搭載する機種が増えてきている。
【０００４】
音質に限って言うと、パソコンに元々装着されているスピーカーでは音質に物足りないと感じるユーザは、外付けの外部スピーカを購入し、音質の追求をすることも珍しく無い。
【０００５】
このようなユーザからの要望にこたえるような技術として、外部スピーカユニットを接続する技術が存在している（特許文献１）
【特許文献１】特開２００３−１５０２８６公報
【発明の開示】
【発明が解決しようとする課題】
【０００６】
従来のノート型パソコンでは、購入状態で実装されているステレオスピーカーが着脱できない構造がほとんどであり、ユーザが自ら音質の良いオプションスピーカを購入して、パソコンに装着することしかできず、元々実装されているスピーカーと取り替える事はできない。
【０００７】
例えば、上記特許文献１に記載されているように、パソコンには元々スピーカーが実装されている状態で、かつ外部スピーカーが接続される形態となってしまう。これは、携帯性を重視したノートパソコンであっても、外部スピーカーも一緒に持ち運ぶ必要があり、せっかくのノートパソコンの利点である携帯性を殺しかねない。
【０００８】
また、パソコンに内蔵されているスピーカーへ音響信号を出力する回路に関しても、元々実装されているスピーカーの特性（出力や周波数特性）に合わせた音響信号を出力するようイコライザ（以後、ＥＱと称す）回路が用意されている場合があるため、外部のスピーカーを取り付けても、その取り付けられたスピーカーの特性を生かすことができない可能性がある。
【０００９】
本発明は上記実情に鑑みてなされたものであり、スピーカーを有する情報処理装置において装着されたスピーカーに応じた出力を制御可能な情報処理装置及びモジュール選択方法を提供することを目的とする。
【課題を解決するための手段】
【００１０】
上記目的を達成するために、請求項１に係る発明では、本体と本体に着脱可能に接続されるスピーカーと、本体内に設けられスピーカーへ出力する音響信号の信号処理を行う第一のイコライザ回路と、本体内に設けられスピーカーへ出力する音響信号の信号処理を行う第二のイコライザ回路と、スピーカーの装着を検出に応じて第一のイコライザ回路とスピーカーとを電気的に接続する切替回路とを具備することを特徴とする。
【００１１】
このような構成により装着されたスピーカーに応じた出力を制御可能な情報処理装置を提供することが可能である。
【００１２】
また、請求項５に記載の発明では、本体と、本体に設けられるスピーカー収納部と、スピーカー収納部に着脱可能に収納可能なスピーカーと、スピーカーが収納部に接続された事を検出する検出部と、検出部によりスピーカーの接続が検出された場合、本体に設けられた少なくとも２つのイコライザ回路のうち、第一のイコライザ回路の出力信号がスピーカーへ出力されるよう電気的に接続する切替部と、を具備することを特徴とする。
【００１３】
このような構成により、装着されたスピーカーに応じた出力を制御可能な情報処理装置。
【００１４】
また、請求項７に記載の発明では、スピーカーが着脱可能な本体と、スピーカーへの音響信号を出力する第一のイコライザ回路と第二のイコライザ回路とを有する情報処理装置のモジュール選択方法において、スピーカーが本体に接続された事を検出し、スピーカーが接続された場合、スピーカーと第一のイコライザ回路とを電気的に接続することを特徴とする。
【００１５】
このような構成により、装着されたスピーカーに応じた出力を制御可能なモジュール選択方法を提供することが可能となる。
【発明の効果】
【００１６】
着脱可能なスピーカを有する情報処理装置において、装着されたスピーカーに応じた出力を制御可能な情報処理装置及びモジュール選択方法を提供することを目的とする。
【発明を実施するための最良の形態】
【００１７】
本発明に係る情報処理装置の第一の実施形態について、以下図面を参照して説明する。
【００１８】
図１は本発明の実施形態に係る情報処理装置の斜視図である。この情報処理装置１０は、一般的なノートブックタイプのパソコンであり、ここではバッテリ駆動可能なノートブックタイプのパソコンを例に説明する。以後、情報処理装置１０は、パソコン１０と称して説明を行う。
【００１９】
パソコン１０の本体１３上面にはユーザからの情報が入力されるキーボード１４が配置され、本体１３の後端には表示部１５が回動可能に接続されている。表示部１５はデータを表示するデバイスであるLCD（Liquid Crystal Display）１６が配設されている。表示部１５はキーボード１４を覆う閉位置とキーボード１４を使用可能な状態である開位置との間で回動可能である。
【００２０】
本体１３の側面部には、スピーカー１７が設けられている。このスピーカー１７は、本体１３の反対側面にも同様に設けられており、パソコン１０で処理された音を出力する外部インターフェースである。
【００２１】
続いて図２に本実施形態に係る情報処理装置のハードウェア構成図を示す。
【００２２】
このパソコン１０には、図示するように、ＣＰＵ２１、グラフィック・メモリコントローラハブ２２、メインメモリ（主記憶装置）２３、グラフィックコントローラ２４、Ｉ／Ｏハブ２５、ハードディスクドライブ（ＨＤＤ）２６、エンベッテッドコントローラ・キーボードコントローラ（以後、ＥＣ／ＫＢＣと称す）２７、ＢＩＯＳ−ＲＯＭ２８、キーボード１４等を備えている。
【００２３】
ＣＰＵ２１はパソコン１０全体の動作制御を行ったり、メインメモリ２３の記憶内容を参照して、それに基づきデータ処理等を実行するデバイスである。また、図示はしないが、このＣＰＵ２１は外部にクロックジェネレータから供給されるクロックで動作され、このクロックジェネレータからの供給クロックは間欠的に供給することも可能である。
【００２４】
メインメモリ２３は、オペレーティングシステム（以後、ＯＳと称す）や、実行アプリケーションなどが記憶され、ＣＰＵ２１の指示により、データの読出し／書き込みが実行される。
【００２５】
グラフィックコントローラ２４は、ＶＲＡＭ２４１と接続されている。ＣＰＵ２１が実行するＯＳの制御の下に、表示部１５に設けられるＬＣＤ１６の表示駆動制御を行うとともに、図示しないＣＲＴ端子、ＤＶＩ端子、ＴＶ端子等、各種外部ディスプレイの接続インタフェースを介して接続された外部表示デバイスを表示駆動制御する。
【００２６】
ＶＲＡＭ２４１は、グラフィックコントローラ２４により制御されるメモリデバイスであり、ＬＣＤ１６に表示される表示データを一時格納する。グラフィックコントローラ２４により、グラフィック・メモリコントローラハブ２２から送信される映像データの書込み／読み出しが行われる。
【００２７】
Ｉ／Ｏハブ２５は、Ｉ／Ｏハブ２５に接続されるＬＰＣ（Ｌｏｗ  Ｐｉｎ  Ｃｏｕｎｔ）バス上のデバイスと、グラフィック・メモリコントローラハブ２２との間のデータ変換等を行うブリッジ回路であり、各種Ｉ／Ｏコントローラが内蔵されている。
【００２８】
ＨＤＤ２６は、データを記憶する不揮発性記憶デバイスであり、パソコン１０の電源が切断されている状態でもデータを保持可能である。このＨＤＤ２６には、ＯＳや、各種アプリケーション、ドライバ、ユーティリティソフト、音楽や映像などのコンテンツデータが記憶されており、これらのデータはＣＰＵ２１により適宜メインメモリ２３へ読み出され、読み出されたデータはＣＰＵ２１によってさらに処理される。
【００２９】
ＥＣ／ＫＢＣ２７は、ＣＰＵ２１によってリード／ライト可能な複数のレジスタ２７１を内蔵している。このレジスタ２７１を使用することにより、ＣＰＵ２１と、ＥＣ／ＫＢＣ２７に接続されたデバイスとの間の通信が可能となる。このレジスタ２７１には、スピーカー１７の接続情報などが、記憶されている。この点については、後述する。また、キーボードコントローラの機能も内蔵されており、ＥＣ／ＫＢＣ２７に接続されるキーボード１４から入力される信号の処理が行われ、上位のデバイス（ＣＰＵ２１等）へ通知する。
【００３０】
ＢＩＯＳ−ＲＯＭ２８は、パソコン内の各種ハードウェアをアクセスするファンクション実行ルーチンを体系化したプログラムであり、プログラムが書き換え可能なようにフラッシュＲＯＭにより構成されている。パソコン１０の起動時に、各種ハードウェアの初期化を実行したり、起動時にＢＩＯＳ−ＲＯＭ２８の一部のプログラムがメインメモリ２３へコピーされ、ＯＳ実行中にも各種ハードウェアへの入出力制御を行う。
【００３１】
また、Ｉ／Ｏハブ２５には、オーディオコーデックＩＣ２９が接続されており、このオーディオコーデックＩＣ２９には、さらにスイッチ回路（切替部）３０が接続されている。スイッチ回路３０は、スイッチ隘路３０に接続される２つのイコライザ回路（以後、ＥＱ回路と称す）、ＥＱ回路A３１、ＥＱ回路B３２を切り替えるものであり、このスイッチ回路３０により、スピーカー１７と電気的に接続されたＥＱ回路によって音響信号の周波数が、所定の周波数特性に調整された後、スピーカーアンプＩＣ３３で信号が増幅されスピーカーインターフェース３４を介して、スピーカー１７から音が発せられる。
【００３２】
オーディオコーデックＩＣ２９は、Ｉ／Ｏハブ２５から送られる符号化された音響情報を復号し、デジタルオーディオ信号として出力する。
【００３３】
スイッチ回路３０は、スピーカーインターフェース３４に接続されたスピーカーの種類に応じて、使用するＥＱ回路を、ＥＱ回路Ａ３１かＥＱ回路Ｂ３２かに電気的な接続を切替える回路である。
【００３４】
ＥＱ回路は一般的には、入力された音響信号の所定の周波数のゲインを調整するものであり、本実施形態においては、ＥＱ回路Ａ３１は、入力信号の周波数２００Ｈｚから２００００Ｈｚの帯域の信号を調整し、ＥＱ回路Ｂ３２は入力信号の周波数４００Hzから２００００Hzの帯域の信号を調整するものとする。
【００３５】
スピーカーアンプＩＣ３３は、ＥＱ回路Ａ３１またはＥＱ回路Ｂ３２によって周波数が調整された音響信号の全体的なゲインの増減幅を行いスピーカーインターフェース３４へ出力する。
【００３６】
スピーカーインターフェース３４は、スピーカー１７が着脱可能に接続され、接続されたスピーカーへ電気信号を伝達するインターフェースである。これに接続されたスピーカー１７は、音響信号をスピーカーから出力する。
【００３７】
続いて、図３にスピーカ周辺の本体拡大図を示す。
【００３８】
本実施形態では、本体１３の側面に、矩形状のスピーカー収納部３５が設けられている。これは、スピーカー１７を本体１３内部に収納可能とするように、スピーカー１７の外形に合わせて本体１３に凹部が設けられている。
【００３９】
本体１３側面と並行するスピーカー収納部３５の壁面３６にはスピーカーインターフェース３４が設けられ、同時にスピーカーインターフェース３４は基板３７上に電気的に接続されている。
【００４０】
スピーカー１７には、スピーカー側インターフェース３８が設けられており、スピーカー１７がスピーカー収納部３５に収納された際に、スピーカーインターフェース３４と電気的に接続され、スピーカー１７へ音響信号がスピーカーへ伝達される。
【００４１】
本体１３の側面にはイジェクトスイッチ３９が設けられており、スピーカー１７がスピーカー収納部３５に収納されているときに、スピーカー１７を取り出す際に用いられる。
【００４２】
本実施形態では、イジェクトスイッチ２９は、本体１３側面に対して垂直方向に摺動可能な構成であり、側面に対して垂直方向へ押すことで、スピーカー１７が取り出される。
【００４３】
上述のような構成により、スピーカー１７と本体１３とが接続される。
【００４４】
次に、図４と図５とに２種類のスピーカーの再生周波数特性の例を示す。
【００４５】
図４にスピーカーＡの再生周波数特性図を示し、図５にスピーカーＢの再生周波数特性図を示す。
【００４６】
図４、図５とも、横軸が周波数を表し、縦軸がゲインを表す。
【００４７】
スピーカーＡは、再生周波数特性が２２０〜２００００Ｈｚという帯域の特性を持つスピーカーであり、スピーカーＢは、再生周波数特性が４８０〜２００００Ｈｚという帯域の特性を持つスピーカーである。
【００４８】
これらのスピーカーに合わせたＥＱ回路がパソコン１０内に設けられている。本実施形態では、スピーカーＡに対応するＥＱ回路としてＥＱ回路Ａ３１が設けられており、スピーカーＢに対応するＥＱ回路としてＥＱ回路３２が設けられているものとし、スピーカーＡもしくはスピーカーＢの装着に応じて、ＥＱ回路Ａ３１もしくはＥＱ回路Ｂ３２を切り替える。
【００４９】
なお、スピーカーＡとスピーカーＢとは、本体１３のスピーカー収納部３５に収納可能とするように、外形寸法などは同じ（外形寸法やスピーカーインターフェースの位置）は同じように成されている。
【００５０】
次に、スピーカー１７の着脱に伴う、ＥＱ回路の切替制御について、図６及び図７を用いて説明する。
【００５１】
図６は、図２の点線で示すＺエリアの詳細図であり、図７はＥＱ回路切替のフローチャートを示す。図７はＥＣ／ＫＢＣの制御フローチャートを示す。
【００５２】
図示するようにスピーカーインターフェース３４は、＋端子３４１、−（マイナス）端子３４２、ＩＤ端子３４３、ＧＮＤ（グランド）端子３４４とを有する。
【００５３】
＋端子３４１、−端子３４２はスピーカーアンプＩＣに接続されており、スピーカーアンプ３３から出力される信号が入力される。この信号は、スピーカーインターフェース３４に接続されるスピーカーが有するスピーカー側インターフェースの対応する＋端子、−端子へ伝播される。
【００５４】
ＩＤ端子３４３は、ＥＣ／ＫＢＣ２７と接続されている。これは、接続されるスピーカーに応じて、ライン５０を介して、ＥＣ／ＫＢＣ２７へハイレベル若しくはローレベルの信号が入力される。
【００５５】
ＧＮＤ端子３４４は、アースに接続される端子である。
【００５６】
ＩＤ端子３４３は、ＩＤ信号線５０を介してＥＣ／ＫＢＣ２７に接続されている。このＩＤ信号線５０はプルアップ抵抗５１を介して電源に接続されており、通常ＩＤ信号線５０はハイレベルに固定されており、ＥＣ／ＫＢＣ２７はハイレベル信号を検出する。
【００５７】
スピーカーＡ１７１のスピーカー側インターフェース３９１は、＋端子３９３と−端子３９４とを有する。一方、スピーカーＢ１７２のスピーカー側インターフェース３９２は、グランド（ＧＮＤ）端子３９５、ＩＤ端子３９６、−端子３９７、＋端子３９８とを有する。
【００５８】
さらにスピーカーＢ１７２は、内部でＧＮＤ端子３９５とＩＤ端子とが結線１７３されている。
【００５９】
ＥＣ／ＫＢＣ２７は、スイッチ回路３０に接続するスイッチ切替信号線５２、５３を有しており、ＩＤ信号線５０の入力に応じて、スイッチ３０１、スイッチ３０２のどちらかへオン信号を出力する。このスイッチ３０１、３０２は例えばトランジスタなどが用いられる。また、このＥＣ／ＫＢＣ２７のＩＤ信号線５０、スイッチ切替信号線５２、５３との接続は、通常ＥＣ／ＫＢＣ２７が有するジェネラルパーパスＩ／Ｏピン（ＧＰＩＯ）という汎用ピンを使用することができる。
【００６０】
ここで、ＥＱ回路Ａ３１はスピーカーＡ１７１の特性に合わせたＥＱ回路であり、ＥＱ回路Ｂ３２はスピーカーＢ１７２の特性に合わせたＥＱ回路であるものとする。
【００６１】
続いて、スピーカーＡ１７１もしくはスピーカーＢ１７２が接続された場合の切替処理について説明する。
【００６２】
まず、スピーカーＡ１７１がスピーカーインタフェース３４に接続される場合は、スピーカーインターフェース３４の＋端子３４１とスピーカーＡ１７１の＋端子３９３とが電気的に接続され、−端子３４２とスピーカーＡの−端子３９４とが電気的に接続される。しかし、ＩＤ端子３４３とＧＮＤ端子３４１とは電気的に接続されないので、ＩＤ信号線５０はハイレベルに固定されたままとなり、ＥＣ／ＫＢＣ２７はハイレベルを検出する（ステップＳ１０１のＹＥＳ）。
【００６３】
ＥＣ／ＫＢＣ２７は、ハイレベルを検出した場合、スイッチ３０１をオンするため、スイッチ信号線５２を介して、スイッチ３０１をオンにする（ステップＳ１０２）。
【００６４】
スイッチ３０１がオンされ、オーディオコーデックＩＣ２９とＥＱ回路Ａ３１とが電気的に接続される。音響信号が出力される際は、オーディオコーデックＩＣ２９からの音響信号がＥＱ回路Ａ３１へ入力され、ＥＱ回路Ａ３１於いて、周波数補正などの処理が施される。ＥＱ回路Ａ３１の出力はスピーカーアンプＩＣ３３で増幅された後、スピーカーＡ１７１へ＋端子（３４１、３９３）と−端子（３４２、３９４）を介して電気信号が伝えられ、スピーカーＡから音響信号が出力される。
【００６５】
一方、スピーカーＢ１７２がスピーカーインターフェース３４に接続された場合、スピーカーインターフェース３４のＧＮＤピン３４４、ＩＤピン３４３、−端子３４２、＋端子３４１は、それぞれスピーカー側インターフェース３９２のグランド（ＧＮＤ）ピン３９５、ＩＤピン３９６、−端子３９７、＋端子３９８に接続される。
【００６６】
この時、スピーカーＢ１７２内のＧＮＤピン３９５とＩＤピン３９４とは結線１７３されており、スピーカーインターフェース３４とスピーカー側インターフェース３９２とが接続されることにより、ＩＤ信号線５０は、グランドに落ち、ローレベルとなる。
【００６７】
これに伴い、ＥＣ／ＫＢＣ２７はローレベルを検出し（ステップＳ１０１のＮＯ）、スイッチ信号線５３を介して、スイッチ３０２をオンにする（ステップＳ１０３）。音響信号が出力される際は、オーディオコーデックＩＣ２９からの音響信号がＥＱ回路Ｂ３２へ入力され、ＥＱ回路Ｂ３２於いて、周波数補正などの処理が施される。ＥＱ回路Ｂ３２の出力はスピーカーアンプＩＣ３３で増幅された後、スピーカーＢ１７２へ＋端子（３４１、３９８）と−端子（３４２、３９７）を介して電気信号が伝えられ、スピーカーＢ１７２から音響信号が出力される。
【００６８】
本実施形態では、ＩＤピンを一つ設けて２種類のスピーカーを切り替える例を示したが、ＩＤピンの数を増やすことでさらに多くの種類のスピーカーを識別できる。これはｎ個のＩＤピンを設ける事で、２ｎ個のスピーカーを識別可能である。
【００６９】
上述のように本実施形態では、接続されたスピーカーに応じてＥＱ回路を切り替えることが可能となり、装着されたスピーカーに応じた出力を制御可能な情報処理装置を提供することが可能となる。
【００７０】
また、上記実施形態では、情報処理装置を購入したユーザがスピーカーを取り替える場合の例について説明したが、これ以外にも製品組み立ての際にも、基板設計を同一にして、機種毎に取り付けるスピーカーを変更するなどの態様にも適用可能である。
【００７１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７２】
【図１】第１の実施形態に係る情報処理装置の斜視図。
【図２】第１の実施形態に係る情報処理装置のハードウェア構成図。
【図３】スピーカー周辺の本体拡大図。
【図４】スピーカーＡの再生周波数特性図。
【図５】スピーカーＢの再生周波数特性図。
【図６】図２におけるＺエリアの詳細図。
【図７】ＥＣ／ＫＢＣの制御フローチャート。
【符号の説明】
【００７３】
１０・・・情報処理装置（パソコン）
１３・・・本体
１７・・・スピーカー
２１・・・ＣＰＵ
２７・・・ＥＣ／ＫＢＣ
２９・・・オーディオコーデックＩＣ
３０・・・スイッチ
３１・・・イコライザ回路Ａ
３２・・・イコライザ回路Ｂ
３３・・・スピーカーアンプＩＣ
３４・・・スピーカーインターフェース
３５・・・スピーカー収納部
３７・・・基板
３８、３９１、３９２・・・スピーカー側インターフェース
３９・・・イジェクトスイッチ
５０・・・ＩＤ信号線
５１・・・プルアップ抵抗
５２、５３・・・スイッチ切替信号線
１７１・・・スピーカーＡ
１７２・・・スピーカーＢ
１７３・・・結線
３０１、３０２・・・スイッチ
３４１、３９３、３９８・・・＋端子
３４２、３９４、３９７・・・−端子
３４３、３９６・・・ＩＤ端子
３４４、３９５・・・グランド端子
【図１】
2006339852.tif 000003
【図２】
2006339852.tif 000004
【図３】
2006339852.tif 000005
【図４】
2006339852.tif 000006
【図５】
2006339852.tif 000007
【図６】
2006339852.tif 000008
【図７】
2006339852.tif 000009